(57)【要約】      （修正有）【課題】本体の背面板に制御基板を設けた冷蔵庫において、冷蔵庫本体の背面を流下する結露水の侵入を抑制できる冷蔵庫を提供する。【解決手段】冷蔵庫は、冷蔵庫本体３と、冷蔵庫本体３の背面板５に取り付けられる制御基板収容箱１１と、制御基板収容箱１１の内部に収容される制御基板１３とを有する。制御基板収容箱１１は、制御基板１３を保持して冷蔵庫本体３の背面板５に取り付けられるベース部１７と、制御基板１３を覆うようにしてベース部１７に取り付けられるカバー部１９とを有する。ベース部１７は、カバー部１９の内部において制御基板１３の上方を覆う上部周壁１７ｂｕを備え、水分の侵入を抑制する。【選択図】図４
2018115797.tif 000002
【特許請求の範囲】
【請求項１】
冷蔵庫本体と、
前記冷蔵庫本体の背面に取り付けられる制御基板収容箱と、
前記制御基板収容箱の内部に収容される制御基板と、を有し、
前記制御基板収容箱は、
前記制御基板を保持して前記冷蔵庫本体の背面に取り付けられるベース部と、
前記制御基板を覆うようにして前記ベース部に取り付けられるカバー部と、を有し、
前記ベース部は、前記カバー部の内部において前記制御基板の上方を覆う遮蔽部を備えていることを特徴とする冷蔵庫。
【請求項２】
前記遮蔽部の前記背面から離れた前記カバー部側に、上方に向けて延出する縦壁が設けられていることを特徴とする請求項１に記載の冷蔵庫。
【請求項３】
前記縦壁の上部から前記冷蔵庫本体の背面に向けて延出する横壁を備え、
前記横壁は、前記冷蔵庫本体の背面との間に、当該横壁の上方と下方とを連通する第１連通部を備えていることを特徴とする請求項２に記載の冷蔵庫。
【請求項４】
前記縦壁と前記カバー部とは密接していることを特徴とする請求項２または３に記載の冷蔵庫。
【請求項５】
前記ベース部は、前記制御基板の側方を覆う側方遮蔽部を備え、
前記側方遮蔽部の上端は前記遮蔽部につながっていることを特徴とする請求項１ないし４のいずれか１項に記載の冷蔵庫。
【請求項６】
前記ベース部は、前記制御基板の下方を覆う下方遮蔽部を備え、
前記側方遮蔽部の下端は前記下方遮蔽部につながっていることを特徴とする請求項５に記載の冷蔵庫。
【請求項７】
前記側方遮蔽部及び前記下方遮蔽部の前記冷蔵庫本体の背面から離れた前記カバー部側に、側方に向けて延出する側方縦壁及び下方に向けて延出する下方縦壁がそれぞれ設けられ、
前記側方縦壁及び前記下方縦壁の先端から前記冷蔵庫本体の背面に向けて延出する側方横壁及び下方横壁をそれぞれ備え、
前記下方横壁は、前記冷蔵庫本体の背面との間に、当該下方横壁の上方と下方とを連通する第２連通部を備えていることを特徴とする請求項６に記載の冷蔵庫。
【発明の詳細な説明】
【技術分野】
【０００１】
本発明は、制御基板を冷蔵庫本体の背面に取り付ける構造の冷蔵庫に関する。
【背景技術】
【０００２】
冷蔵庫を制御する電子部品等を取り付けた制御基板を、冷蔵庫本体の背面に取り付ける構造の冷蔵庫は、特許文献１に開示されている。特許文献１の冷蔵庫は、冷蔵庫本体の背面板に収納部を形成し、制御基板を取り付けた基板取付具を収納部に収納した状態で、収納部の開口面にカバーを装着して制御基板を覆っている。
【先行技術文献】
【特許文献】
【０００３】
【特許文献１】特開２００２−２９５９７２号公報
【発明の概要】
【発明が解決しようとする課題】
【０００４】
特許文献１の冷蔵庫は、冷蔵庫本体の背面を流下する結露水が、収納部の開口面とカバーとの装着部からカバーの内部に入り込んだ場合に、制御基板に水分が侵入して故障の要因となる。
【０００５】
そこで本発明は、制御基板への水分の侵入を抑制することを目的としている。
【課題を解決するための手段】
【０００６】
本発明の実施の形態の冷蔵庫は、冷蔵庫本体と、前記冷蔵庫本体の背面に取り付けられる制御基板収容箱と、前記制御基板収容箱の内部に収容される制御基板と、を有する。前記制御基板収容箱は、前記制御基板を保持して前記冷蔵庫本体の背面に取り付けられるベース部と、前記制御基板を覆うようにして前記ベース部に取り付けられるカバー部と、を有する。前記ベース部は、前記カバー部の内部において前記制御基板の上方を覆う遮蔽部を備えている。
【図面の簡単な説明】
【０００７】
【図１】本発明の実施形態に係わる冷蔵庫の全体を背面側から見た斜視図である。
【図２】図１の冷蔵庫の下部に設けた制御基板ユニットのカバー部を取り外した状態を示す分解斜視図である。
【図３】図２の制御基板ユニット周辺を示す断面図である。
【図４】図３の制御基板ユニットを拡大して示す断面図である。
【図５】図１〜４に示す制御基板ユニットを冷蔵庫本体に対する取付面側から見た斜視図である。
【発明を実施するための形態】
【０００８】
以下、本発明の実施の形態を図面に基づき説明する。
【０００９】
図１に示すように、本発明の一実施形態に係わる冷蔵庫１は、冷蔵庫本体３の背面となる背面板５の下部に偏平の制御基板ユニット７を取り付けている。制御基板ユニット７は、略矩形状の基板収容部７Ａと、基板収容部７Ａの一方の側部から下方に向けて突出する配線収容部７Ｂとを備えている。なお、背面板５は、図１、図２に示すように、中央部が外周部に対して膨出するような形状となっている。制御基板ユニット７は、背面板５に対し、基板収容部７Ａが中央部の上記膨出した部分に対応し、配線収容部７Ｂが外周部に対応するようにして取り付けてある。したがって、後述する制御基板ユニット７の制御基板収容箱１１は、背面板５の上記膨出形状に合わせて、基板収容部７Ａと配線収容部７Ｂとの間で屈曲形成されている。
【００１０】
配線収容部７Ｂの下方の冷蔵庫本体３の背面下部には、コンプレッサ９を配置している。コンプレッサ９は、冷蔵庫本体３の下部に設けてある支持台１０の上に取り付けている。コンプレッサ９を配置する空間より上方に位置する背面板５の表面に、上記した制御基板ユニット７を取り付けている。
【００１１】
制御基板ユニット７は、図２、図３に示すように、制御基板収容箱１１を備え、制御基板収容箱１１内の基板収容部７Ａに対応する位置に制御基板１３を収容固定している。制御基板１３は、各種電子部品１５を実装してあり、各種電子部品１５を含む制御回路によって、コンプレッサ９の作動などを含む冷蔵庫１の運転を制御する。
【００１２】
制御基板収容箱１１内の配線収容部７Ｂに対応する位置には、コンプレッサ９と制御基板１３とを接続する図示しない電気配線を収容している。電気配線は、図５に示す配線収容部７Ｂの下部に設けてある電気配線引出し口１１ａから下方に引き出されてコンプレッサ９に接続される。なお、電気配線は、コンプレッサ９に接続するものだけでなく、他の部品に接続するものを含んでいてもよい。
【００１３】
制御基板収容箱１１は、制御基板１３及び上記電気配線を保持するベース部１７と、制御基板１３及び電気配線を覆うようにしてベース部１７に取り付けられるカバー部１９とを備えている。制御基板１３は、ベース部１７の底板１７ａから立設した複数の係合爪１７ａ１に係合することで、ベース部１７に保持される。電気配線も底板１７ａから立設した複数の係合爪１７ａ２に係合することで、ベース部１７に保持される。
【００１４】
ベース部１７は、底板１７ａが図５に示すように矩形状であり、矩形状の底板１７ａの周囲四辺から立ち上がる周壁１７ｂを備えている。周壁１７ｂは、冷蔵庫本体３の背面板５から離れる方向に向けて延在している。周囲四方の周壁１７ｂのうち、図４中で上部に位置する上部周壁１７ｂｕは、制御基板１３の上方を覆う遮蔽部を構成している。周壁１７ｂのうち、図４中で紙面に直交する位置にある左右一対の側部周壁１７ｂｓは、制御基板１３の側方を覆う側方遮蔽部を構成し、図４中で下部に位置する下部周壁１７ｂｗは、制御基板１３の下方を覆う下方遮蔽部を構成している。
【００１５】
周壁１７ｂは、制御基板１３の周囲全体を覆うように形成してある。したがって、左右一対の側部周壁１７ｂｓの上端は、上部周壁１７ｂｕの端部に湾曲部１７ｂｐを介してつながり、左右一対の側部周壁１７ｂｓの下端は、下部周壁１７ｂｗの端部に湾曲部１７ｂｑを介してつながっている。周壁１７ｂの内側の領域は、制御基板１３が収容される基板収容領域２１となっている。
【００１６】
ベース部１７は、周壁１７ｂの底板１７ａと反対の図４中で右側の端部から、周壁１７ｂを境にして基板収容領域２１と反対の外側へ向けて延出する端壁１７ｃを備えている。端壁１７ｃは、底板１７ａの周囲四辺に対応して全周にわたり設けてあり、周壁１７ｂの背面板５から離れたカバー部１９側に位置している。
【００１７】
周囲四方の端壁１７ｃのうち、図４中で上部に位置する上部端壁１７ｃｕは、上部周壁１７ｂｕの先端から上方に向けて延出する縦壁を構成している。端壁１７ｃのうち、図４中で紙面に直交する位置にある左右一対の側部端壁１７ｃｓは、側部周壁１７ｂｓの先端から基板収容領域２１と反対の外側に向けて延出する側方縦壁を構成し、図４中で下部に位置する下部端壁１７ｃｗは、下部周壁１７ｂｗの先端からから下方に向けて延出する下方縦壁を構成している。
【００１８】
ベース部１７は、端壁１７ｃの基板収容領域２１と反対の外側の端部から、冷蔵庫本体３の背面板５に向けて延出する外周壁１７ｄを備えている。外周壁１７ｄは、底板１７ａの周囲四辺に対応して全周にわたり設けている。
【００１９】
周囲四方の外周壁１７ｄのうち、図４中で上部に位置する上部外周壁１７ｄｕは、上部端壁１７ｃｕの上端から背面板５に向けて延出する横壁を構成している。外周壁１７ｄのうち、図４中で紙面に直交する位置にある左右一対の側部外周壁１７ｄｓは、側部端壁１７ｃｓの先端から背面板５に向けて延出する側方横壁を構成し、図４中で下部に位置する下部外周壁１７ｄｗは、下部端壁１７ｃｗの下端から背面板５に向けて延出する下方横壁を構成している。
【００２０】
外周壁１７ｄの上部外周壁１７ｄｕは、図４、図５に示すように、背面板５に対して離間する部分が形成されるように上部切欠１７ｄｕ１を備えている。上部切欠１７ｄｕ１は、図５に示すように、一対の側部外周壁１７ｄｓ近傍部分を除く中央部分に形成している。上部切欠１７ｄｕ１によって、上部外周壁１７ｄｕは、冷蔵庫本体３の背面板５との間に、上部外周壁１７ｄｕの上方と下方とを連通する第１連通部としての上連通部２３を備えている。
【００２１】
同様にして、外周壁１７ｄの下部外周壁１７ｄｗは、背面板５に対して離間する部分が形成されるように下部切欠１７ｄｗ１を備えている。下部切欠１７ｄｗ１は、一対の側部外周壁１７ｄｓ近傍部分を除く中央部分に形成している。下部切欠１７ｄｗ１によって、下部外周壁１７ｄｗは、冷蔵庫本体３の背面板５との間に、下部外周壁１７ｄｗの上方と下方とを連通する第２連通部としての下連通部２５を備えている。
【００２２】
外周壁１７ｄの上部切欠１７ｄｕ１及び下部切欠１７ｄｗ１を除く他の部分は、一部を除き冷蔵庫本体３の背面板５に略当接している。このうち、図５中で右側（図２では左側）に位置する側部外周壁１７ｄｓの背面板５側の端部は、配線収容部７Ｂに対応する底板部１７ｅにつながっている。底板部１７ｅは、ベース部１７を背面板５に取り付けたときに、背面板５に略当接する。
【００２３】
底板部１７ｅの外側（図２中で左側）の端部には、側壁１７ｆが立ち上がるようにして形成されている。側壁１７ｆは、上端が上部外周壁１７ｄｕにつながっている。上部外周壁１７ｄｕは、図２中で左側の端部が側部外周壁１７ｄｓから図２中で左側に向けて突出しており、突出した端部に、側壁１７ｆの上端がつながっている。側壁１７ｆの下部側は、外側（図２中で左側）に向けて屈曲することで、側部外周壁１７ｄｓとの間で、前述した図示しない電気配線を収容する領域を形成している。
【００２４】
ベース部１７は、周囲の複数箇所に設けてある取付部１７ｇにベース部固定ねじ２７を挿入して冷蔵庫本体３に締結固定する。なお、図２中の符号２９で示すものは、制御基板１３から冷蔵庫１の上方に向けて引き出される電気配線であり、符号３１で示すものは、制御基板１３からコンプレッサ９に向けて引き出される電気配線の接続器具である。
【００２５】
カバー部１９は、外周縁に、冷蔵庫本体３の背面板５に当接する本体当接面１９ａを備えている。本体当接面１９ａには、図示していないがシール用テープなどのシール材を貼付している。本体当接面１９ａは、基板収容部７Ａに対応する位置と配線収容部７Ｂとの間にわたり連続して形成してあり、電気配線引出し口１１ａ近傍には設けていない。電気配線引出し口１１ａ近傍のカバー部１９は、ベース部１７の底板部１７ｅの下端１７ｅ１よりも下方に突出している。
【００２６】
カバー部１９の基板収容部７Ａに対応する位置には、図４に示すように、本体当接面１９ａよりも内側に位置して、ベース部１７の端壁１７ｃに当接するベース部当接面１９ｂを備えている。ベース部当接面１９ｂは、端壁１７ｃの平面形状に対応して平面状に形成してある。端壁１７ｃとベース部当接面１９ｂとのいずれか一方には、図示していないがシール用テープなどのシール材を貼付する。これにより、カバー部１９をベース部１７に取り付けたときに、端壁１７ｃとベース部当接面１９ｂとは互いに密接した状態となる。
【００２７】
カバー部１９は、図２に示すように、周囲の複数箇所に取付孔１９ｃを備えている。取付孔１９ｃに挿入するカバー部固定ねじ３３を、ベース部１７のねじ孔１７ｈに締結して固定する。
【００２８】
次に、上記した構造の冷蔵庫１において、制御基板ユニット７の上方から冷蔵庫本体３の背面板５に沿って流下する結露水Ｗの流れについて説明する。
【００２９】
図４に示すように、制御基板ユニット７の上方の結露水Ｗの大半は、外側結露水Ｗｏとしてカバー部１９の外側面に沿って流れ、冷蔵庫本体３の下部に流下する。その際、結露水Ｗのうちの一部が、内側結露水Ｗｉとしてカバー部１９の内部に流入する場合が想定される。カバー部１９の本体当接面１９ａは冷蔵庫本体３の背面板５に当接しているが、本体当接面１９ａと背面板５との間の僅かの隙間から結露水Ｗの一部がカバー部１９の内部に流入する。
【００３０】
カバー部１９の内部に流入した内側結露水Ｗｉは、上部切欠１７ｄｕ１と背面板５との間の上連通部２３から上部周壁１７ｂｕの上に流下する。上部周壁１７ｂｕ上の内側結露水Ｗｉは、図５中の矢印Ａで示すように上部周壁１７ｂｕに沿って左右両側に分流し、湾曲部１７ｂｐを経て矢印Ｂで示すように左右一対の側部周壁１７ｂｓに沿って下方に向けて流れる。
【００３１】
矢印Ｂのように流れる内側結露水Ｗｉは、下部外周壁１７ｄｗに流れ落ち、その後、下部切欠１７ｄｗ１と背面板５との間の下連通部２５から、下部外周壁１７ｄｗとカバー部１９との間に流出する。下部外周壁１７ｄｗとカバー部１９との間に流出した内側結露水Ｗｉは、カバー部１９の本体当接面１９ａと背面板５との間の僅かの隙間からカバー部１９の外部に流出する。
【００３２】
このように、本実施形態の冷蔵庫１は、カバー部１９の内部に流入した内側結露水Ｗｉが、図５に示すように、ベース部１７の周壁１７ｂと外周壁１７ｄとの間に形成される流路を流れてカバー部１９の外部に流出する。
【００３３】
以上説明したように、本実施形態の冷蔵庫１は、冷蔵庫本体３と、冷蔵庫本体３の背面板５に取り付けられる制御基板収容箱１１と、制御基板収容箱１１の内部に収容される制御基板１３と、を有する。制御基板収容箱１１は、制御基板１３を保持して冷蔵庫本体３の背面板５に取り付けられるベース部１７と、制御基板１３を覆うようにしてベース部１７に取り付けられるカバー部１９と、を有する。ベース部１７は、カバー部１９の内部において制御基板１３の上方を覆う上部周壁１７ｂｕを備えている。
【００３４】
このため、制御基板ユニット７の上方から冷蔵庫本体３の背面板５に沿って流下する結露水Ｗの一部が、カバー部１９の内部に流入したとしても、上部周壁１７ｂｕによって基板収容領域２１への流入を抑制できる。これにより、基板収容領域２１に収容してある制御基板１３への水の侵入を抑制して制御基板１３を保護することができる。
【００３５】
本実施形態は、上部周壁１７ｂｕの背面板５から離れたカバー部１９側に、上方に向けて延出する上部端壁１７ｃｕが設けられている。これにより、上部周壁１７ｂｕに流下した内側結露水Ｗｉの基板収容領域２１への流入を、上部端壁１７ｃｕによって抑制できる。上部端壁１７ｃｕは、上部周壁１７ｂｕ上に溜まった内側結露水Ｗｉを堰き止めて基板収容領域２１に流入するのを抑制する。
【００３６】
本実施形態は、上部端壁１７ｃｕの上部から冷蔵庫本体３の背面板５に向けて延出する上部外周壁１７ｄｕを備え、上部外周壁１７ｄｕは、冷蔵庫本体３の背面板５との間に、上部外周壁１７ｄｕの上方と下方とを連通する上連通部２３を備えている。このため、カバー部１９の本体当接面１９ａと冷蔵庫本体３の背面板５との隙間からカバー部１９内に流入した内側結露水Ｗｉは、上連通部２３を通して上部周壁１７ｂｕの上に容易に流下させることができる。
【００３７】
上連通部２３（上部切欠１７ｄｕ１）よりも左右一対の側部外周壁１７ｄｓ側の上部外周壁１７ｄｕ上に流下した内側結露水Ｗｉは、一部が上連通部２３を通って上部周壁１７ｂｕ上に流下する。上部外周壁１７ｄｕに流下した内側結露水Ｗｉの他の一部は、上連通部２３と反対側のカバー部１９の側部内面に向けて流れる。カバー部１９の側部内面とベース部１７の側部外周壁１７ｄｓとは略接触しているが、当該接触部の隙間に結露水が入り込んでも、そのままカバー部１９とベース部１７との間を下方に流れるだけで、基板収容領域２１に流入することはない。
【００３８】
本実施形態は、上部端壁１７ｃｕとカバー部１９のベース部当接面１９ｂとは密接している。このため、カバー部１９内に流入した内側結露水Ｗｉが、例え上部端壁１７ｃｕとカバー部１９との当接面に向けて移動したとしても、内側結露水Ｗｉの基板収容領域２１への流入をより確実に抑制できる。
【００３９】
本実施形態は、ベース部１７が、制御基板１３の側方を覆う一対の側部周壁１７ｂｓを備え、一対の側部周壁１７ｂｓの上端は上部周壁１７ｂｕにつながっている。このため、上部周壁１７ｂｕに流下した内側結露水Ｗｉは、一対の側部周壁１７ｂｓに向けてより効率よく流れる。
【００４０】
本実施形態は、ベース部１７が、制御基板１３の下方を覆う下部周壁１７ｂｗを備え、一対の側部周壁１７ｂｓの下端は下部周壁１７ｂｗにつながっている。このため、一対の側部周壁１７ｂｓに沿って流下する内側結露水Ｗｉは、下部周壁１７ｂｗに向けてより効率よく流れる。
【００４１】
本実施形態は、一対の側部周壁１７ｂｓ及び下部周壁１７ｂｗの冷蔵庫本体３の背面板５から離れたカバー部１９側に、側方に向けて延出する一対の側部端壁１７ｃｓ及び下方に向けて延出する下部端壁１７ｃｗがそれぞれ設けられている。側部端壁１７ｃｓ及び下部端壁１７ｃｗの先端から冷蔵庫本体３の背面板５に向けて延出する側部外周壁１７ｄｓ及び下部外周壁１７ｄｗをそれぞれ備えている。下部外周壁１７ｄｗは、冷蔵庫本体３の背面板５との間に、下部外周壁１７ｄｗの上方と下方とを連通する下連通部２５を備えている。
【００４２】
これにより、ベース部１７は、周壁１７ｂと外周壁１７ｄとの間に、上連通部２３と下連通部２５とを連通する流路が形成される。当該流路を内側結露水Ｗｉが流れることで、カバー部１９内に流入した内側結露水Ｗｉは、基板収容領域２１への流入が抑制されつつ外部への排出がより効率よくなされる。
【００４３】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００４４】
例えば、上連通部２３を構成する上部切欠１７ｄｕ１及び下連通部２５を構成する下部切欠１７ｄｗ１は、図５に示すような左右方向に沿って連続したものに限らず、左右方向に沿って断続的なものでもよい。
【００４５】
なお、本実施形態の冷蔵庫１は、コンプレッサ９をインバータ制御するもので、そのためコンプレッサ９を一定速でタイマ制御するものに比較して制御基板１３が大きくなる。しかし、本発明に適用する冷蔵庫は、インバータ制御するものに限るものではなく、タイマ制御するものにも適用できる。
【符号の説明】
【００４６】
１  冷蔵庫
３  冷蔵庫本体
５  冷蔵庫本体の背面板
１１  制御基板収容箱
１３  制御基板
１７  制御基板収容箱のベース部
１７ｂｕ  ベース部の上部周壁（遮蔽部）
１７ｂｓ  ベース部の側部周壁（側方遮蔽部）
１７ｂｗ  ベース部の下部周壁（下方遮蔽部）
１７ｃｕ  ベース部の上部端壁（縦壁）
１７ｃｓ  ベース部の側部端壁（側方縦壁）
１７ｃｗ  ベース部の下部端壁（下方縦壁）
１７ｄｕ  ベース部の上部外周壁（横壁）
１７ｄｓ  ベース部の側部外周壁（側方横壁）
１７ｄｗ  ベース部の下部外周壁（下方横壁）
１９  制御基板収容箱のカバー部
２３  上連通部（第１連通部）
２５  下連通部（第２連通部）
【図１】
2018115797.tif 000003
【図２】
2018115797.tif 000004
【図３】
2018115797.tif 000005
【図４】
2018115797.tif 000006
【図５】
2018115797.tif 000007